(57)【特許請求の範囲】
【請求項１】
遊技媒体を用いて遊技を行なう遊技機に併設され、会員のみ使用可能な貯遊技媒体又は非会員であっても使用可能な持遊技媒体として遊技種別に管理された遊技媒体のうち、自装置に設定された設定遊技種の持遊技媒体及び／又は貯遊技媒体を前記遊技機が使用可能な状態とする各台装置であって、
前記会員が携行する会員記憶媒体を読み取る読取部と、
前記読取部が前記会員記憶媒体の読取を行なった場合に、当該会員記憶媒体に対応付けられた複数の遊技種の持遊技媒体及び自装置が管理する複数の遊技種の持遊技媒体のうち、前記設定遊技種以外の遊技種の持遊技媒体を貯遊技媒体として前記会員記憶媒体に対応付ける貯遊技媒体移行部と
を備えたことを特徴とする各台装置。
【請求項２】
前記設定遊技種以外の貯遊技媒体を前記設定遊技種の遊技媒体に変換して、前記遊技機が使用可能な状態とする乗入使用を行なう乗入使用部をさらに備えたことを特徴とする請求項１に記載の各台装置。
【請求項３】
前記貯遊技媒体移行部は、前記読取部が前記会員記憶媒体の読取を行なった場合に、当該会員記憶媒体に対応付けられた複数の遊技種の持遊技媒体及び自装置が管理する複数の遊技種の持遊技媒体のうち、前記設定遊技種の持遊技媒体を合算して自装置が管理する持遊技媒体とすることを特徴とする請求項１又は２に記載の各台装置。
【請求項４】
前記貯遊技媒体移行部は、前記読取部が前記会員記憶媒体の読取を行なった場合に、当該会員記憶媒体に対応付けられた前記設定遊技種の持遊技媒体と自装置が管理する前記設定遊技種の持遊技媒体とのうち、一方を前記会員記憶媒体に対応する貯遊技媒体とし、他方を自装置が管理する持遊技媒体とすることを特徴とする請求項１又は２に記載の各台装置。
【請求項５】
前記読取部が前記会員記憶媒体の読取を行なった場合に、当該会員記憶媒体に対応付けられた有価価値と自装置が管理する有価価値とを合算して自装置が管理する有価価値とする有価価値処理部をさらに備えたことを特徴とする請求項１〜４のいずれか一つに記載の各台装置。
【請求項６】
前記読取部が前記会員記憶媒体の読取を行ない、当該会員記憶媒体に対応付けられた有価価値が存在する場合に、前記貯遊技媒体移行部の処理後に前記会員記憶媒体を返却する有価価値処理部をさらに備えたことを特徴とする請求項１〜４のいずれか一つに記載の各台装置。
【請求項７】
前記乗入使用を行なうか否かを遊技客が選択した乗入設定を記憶する乗入設定記憶部をさらに備え、
前記貯遊技媒体移行部は、前記乗入設定により前記乗入使用を行なうことが示されていることを条件に、前記設定遊技種以外の持遊技媒体を貯遊技媒体として前記会員記憶媒体に対応付けることを特徴とする請求項２〜６のいずれか一つに記載の各台装置。
【請求項８】
遊技媒体を用いて遊技を行なう遊技機に併設され、会員のみ使用可能な貯遊技媒体又は非会員であっても使用可能な持遊技媒体として遊技種別に管理された遊技媒体のうち、自装置に設定された設定遊技種の持遊技媒体及び／又は貯遊技媒体を前記遊技機が使用可能な状態とする各台装置による遊技媒体管理方法であって、
前記会員が携行する会員記憶媒体を読み取る読取ステップと、
前記読取ステップが前記会員記憶媒体の読取を行なった場合に、当該会員記憶媒体に対応付けられた複数の遊技種の持遊技媒体及び自装置が管理する複数の遊技種の持遊技媒体のうち、前記設定遊技種以外の遊技種の持遊技媒体を貯遊技媒体として前記会員記憶媒体に対応付ける貯遊技媒体移行ステップと
を含むことを特徴とする遊技媒体管理方法。
【発明の詳細な説明】
【技術分野】
【０００１】
この発明は、遊技媒体を用いて遊技を行なう遊技機に併設される各台装置及びその遊技媒体管理方法に関する。
【背景技術】
【０００２】
従来、パチンコ店等の遊技店では、遊技客を識別する識別情報に関連付けて遊技客に関する各種情報を管理し、遊技客に対する様々なサービスを行なっている。例えば、特許文献１は、遊技店に会員登録した遊技客の会員ＩＤに対応付けて遊技媒体数を管理し、該遊技媒体数を翌日以降も遊技や賞品交換に使用可能とする貯玉サービスを提供する貯玉管理装置を開示している。
【０００３】
遊技客は、遊技において獲得した遊技媒体数である持玉を上述の貯玉管理装置に登録することで、持玉を貯玉に移行させることができる。持玉は、所定の期限内のみ（例えば当日の閉店時間まで）遊技や賞品交換に使用可能であるが、貯玉に移行させることにより所定の期限を超えて使用できることとなる。なお、遊技媒体としては遊技玉の他、メダル等も用いられるが、本明細書では説明を簡明にするため、遊技媒体の形状に関わらず持玉、貯玉と称する。
【先行技術文献】
【特許文献】
【０００４】
【特許文献１】特開２０１１−２１７８４６号公報
【発明の概要】
【発明が解決しようとする課題】
【０００５】
しかしながら、従来の技術では、複数の遊技種を用いる場合の利便性が低くなるケースがあるという問題点があった。遊技種とは、形状や貸出時の単価等の違いに基づいて遊技媒体に設定された種別である。例えば、パチンコで用いられる玉と、スロットで用いられるメダルとは異なる遊技種として設定される。また、同じようにパチンコに用いられる玉であっても、１玉４円の４円レートで貸し出される玉と、１玉１円の１円レートで貸し出される玉とは、異なる遊技種として設定される。
【０００６】
複数の遊技種を用いる遊技店では、店内を遊技種ごとに区画分けしており、同一の区画内では同一の遊技種を用いて遊技するようにしている。例えば、４円レートと１円レートを用いる遊技店では、４円レートの区画と１円レートの区画とを分けている。
【０００７】
そして、４円レートの区画で貯玉を用いる場合には、４円レートの貯玉口座の残高を所定数減算し、対応する数の遊技玉の払出処理を行って、遊技玉を遊技に使用可能な状態とする。このように貯玉口座の残高を減算して遊技玉を遊技に使用可能な状態とすることを貯玉の再プレイという。
【０００８】
同様に、４円レートの区画で持玉を用いる場合には、４円レートの持玉口座の残高を所定数減算し、対応する数の遊技玉の払出処理を行って、遊技玉を遊技に使用可能な状態とする。このように持玉口座の残高を減算して遊技玉を遊技に使用可能な状態とすることを持玉の再プレイという。
【０００９】
さらに、貯玉の再プレイについては、ある遊技種の区画で再プレイを行うときに、他の遊技種の貯玉口座の残高を減算し、遊技種によるレートの違いを考慮した数の遊技玉の払出処理を行う乗入が利用される場合がある。
【００１０】
貯玉の乗入再プレイを行なう構成では、会員である遊技客は、ある遊技種の持玉を同一遊技種の貯玉に移行させれば、乗入により任意の遊技種で再プレイが可能である。遊技機に併設された各台装置は、会員であることを示す会員カード等の記憶媒体を読み取った場合には、当該会員の識別情報に持玉や貯玉を対応付け、貯玉の乗入再プレイなどのサービスを提供する。
【００１１】
一方、非会員の遊技客に対しては貯玉等のサービスは提供できない。そこで、各台装置は、遊技客が会員であると識別できない場合には、非会員も使用可能な一般カードに各遊技種の持玉口座の残高を対応付ける。遊技の終了時には一般カードは排出され、他の遊技機での使用や賞品交換に用いることができる。
【００１２】
このように、各台装置では、遊技客が会員か非会員かによって提供するサービスを異ならせているのであるが、会員であっても遊技開始時に会員カードを読み取らせるとは限らない。一般の遊技客として遊技を開始し、持玉を獲得した後に会員としてサービスを受けることを希望する場合があるのである。
【００１３】
一般カードの全ての持玉を再プレイにより払い出せば、会員カードを読み取らせて会員としてサービスを受けることができる。ここで、各台装置は、自区画の遊技種の持玉を再プレイにより払い出すことはできるが、他の遊技種については払出ができない。このため、遊技客は、遊技を中断して一般カードを排出し、賞品交換カウンタなどで持玉を貯玉に移行させるといった煩雑な作業を行なわねば、一般カードの他の遊技種分を会員として使用することができないのである。
【００１４】
これらのことから、複数の遊技種を用い、会員と非会員に異なるサービスを提供する場合であっても、遊技客に煩雑な作業を行なわせるケースをなくし、遊技客の利便性を向上することが重要な課題となっている。
【００１５】
本発明は、上記従来技術の課題を解決するためになされたものであって、複数の遊技種を用いる場合に遊技客の利便性を向上することのできる各台装置及び遊技媒体管理方法を提供することを目的とする。
【課題を解決するための手段】
【００１６】
上述した課題を解決し、目的を達成するため、本発明は、遊技媒体を用いて遊技を行なう遊技機に併設され、会員のみ使用可能な貯遊技媒体又は非会員であっても使用可能な持遊技媒体として遊技種別に管理された遊技媒体のうち、自装置に設定された設定遊技種の持遊技媒体及び／又は貯遊技媒体を前記遊技機が使用可能な状態とする各台装置であって、前記会員が携行する会員記憶媒体を読み取る読取部と、前記読取部が前記会員記憶媒体の読取を行なった場合に、当該会員記憶媒体に対応付けられた複数の遊技種の持遊技媒体及び自装置が管理する複数の遊技種の持遊技媒体のうち、前記設定遊技種以外の遊技種の持遊技媒体を貯遊技媒体として前記会員記憶媒体に対応付ける貯遊技媒体移行部とを備えたことを特徴とする。
【００１７】
また、本発明は、上記発明において、前記設定遊技種以外の貯遊技媒体を前記設定遊技種の遊技媒体に変換して、前記遊技機が使用可能な状態とする乗入使用を行なう乗入使用部をさらに備えたことを特徴とする。
【００１８】
また、本発明は、上記発明において、前記貯遊技媒体移行部は、前記読取部が前記会員記憶媒体の読取を行なった場合に、当該会員記憶媒体に対応付けられた複数の遊技種の持遊技媒体及び自装置が管理する複数の遊技種の持遊技媒体のうち、前記設定遊技種の持遊技媒体を合算して自装置が管理する持遊技媒体とすることを特徴とする。
【００１９】
また、本発明は、上記発明において、前記貯遊技媒体移行部は、前記読取部が前記会員記憶媒体の読取を行なった場合に、当該会員記憶媒体に対応付けられた前記設定遊技種の持遊技媒体と自装置が管理する前記設定遊技種の持遊技媒体とのうち、一方を前記会員記憶媒体に対応する貯遊技媒体とし、他方を自装置が管理する持遊技媒体とすることを特徴とする。
【００２０】
また、本発明は、上記発明において、前記読取部が前記会員記憶媒体の読取を行なった場合に、当該会員記憶媒体に対応付けられた有価価値と自装置が管理する有価価値とを合算して自装置が管理する有価価値とする有価価値処理部をさらに備えたことを特徴とする。
【００２１】
また、本発明は、上記発明において、前記読取部が前記会員記憶媒体の読取を行ない、当該会員記憶媒体に対応付けられた有価価値が存在する場合に、前記貯遊技媒体移行部の処理後に前記会員記憶媒体を返却する有価価値処理部をさらに備えたことを特徴とする。
【００２２】
また、本発明は、上記発明において、前記乗入使用を行なうか否かを遊技客が選択した乗入設定を記憶する乗入設定記憶部をさらに備え、前記貯遊技媒体移行部は、前記乗入設定により前記乗入使用を行なうことが示されていることを条件に、前記設定遊技種以外の持遊技媒体を貯遊技媒体として前記会員記憶媒体に対応付けることを特徴とする。
【００２３】
また、本発明は、遊技媒体を用いて遊技を行なう遊技機に併設され、会員のみ使用可能な貯遊技媒体又は非会員であっても使用可能な持遊技媒体として遊技種別に管理された遊技媒体のうち、自装置に設定された設定遊技種の持遊技媒体及び／又は貯遊技媒体を前記遊技機が使用可能な状態とする各台装置による遊技媒体管理方法であって、前記会員が携行する会員記憶媒体を読み取る読取ステップと、前記読取ステップが前記会員記憶媒体の読取を行なった場合に、当該会員記憶媒体に対応付けられた複数の遊技種の持遊技媒体及び自装置が管理する複数の遊技種の持遊技媒体のうち、前記設定遊技種以外の遊技種の持遊技媒体を貯遊技媒体として前記会員記憶媒体に対応付ける貯遊技媒体移行ステップとを含むことを特徴とする。
【発明の効果】
【００２４】
本発明によれば、複数の遊技種を用いる場合に遊技客の利便性を向上することができる。
【図面の簡単な説明】
【００２５】
【図１】図１は、実施例に係る台間カード処理機の動作についての説明図である。
【図２】図２は、遊技店のシステム構成を示す図である。
【図３】図３は、図２に示した台間カード処理機の外観構成を示す図である。
【図４】図４は、図２に示した台間カード処理機の内部構成を示すブロック図である。
【図５】図５は、台間カード処理機の記憶部が記憶するデータを説明するための説明図である。
【図６】図６は、会員カードを受け付けた場合の台間カード処理機１０の動作の説明図である。
【図７】図７は、一般カードがセットされていない状態で、カードの挿入を受け付けた場合の処理手順を示すフローチャートである。
【図８】図８は、一般カードがセットされた状態で、カードの挿入を受け付けた場合の処理手順を示すフローチャートである。
【図９】図９は、一般カードがセットされた状態で、携帯端末の識別情報を受け付けた場合の処理手順を示すフローチャートである。
【発明を実施するための形態】
【００２６】
以下に、添付図面を参照して、本発明に係る各台装置及び遊技媒体管理方法の好適な実施例を詳細に説明する。
【００２７】
本明細書中にあって持玉とは、遊技客が遊技において獲得した遊技媒体又は当該遊技媒体数を示すデータであって、その当日中（閉店より前の時間）のみ遊技に再度供することができるものを言う。貯玉とは、遊技客が遊技において獲得した遊技媒体又は当該遊技媒体数を示すデータであって、翌日以降（閉店より後の時間）も遊技に再度供することができるものを言う。持玉は、一般遊技客及び会員遊技客の双方が使用可能であり、遊技に用いる遊技機の変更（いわゆる台移動）を行った場合などに使用する。貯玉は通常、会員遊技客のみが使用可能であり、獲得した遊技媒体を翌日以降の遊技に用いる場合に使用する。貯玉の使用には所定の手数料を課すこととしてもよい。
【実施例】
【００２８】
まず、実施例に係る各台装置である台間カード処理機の動作について説明する。図１は、実施例に係る台間カード処理機の動作についての説明図である。遊技店において、遊技機２０には台間カード処理機１０が併設されている。
【００２９】
台間カード処理機１０は、自装置が設置された区画に対応するレートを設定レートとして記憶している。図１（ａ）では、台間カード処理機１０の設定レートは「４円」である。また、図１（ａ）では、台間カード処理機１０の内部に一般カードがセットされており、４円持玉４００玉、２円持玉２００玉及び１円持玉１００玉が対応付けられている。
【００３０】
台間カード処理機１０は、持玉の再プレイを行なう場合には、設定レートである４円持玉を減算して遊技玉を払い出す。また、遊技客が遊技機２０による遊技で獲得した遊技玉を計数すると、台間カード処理機１０は、設定レートである４円持玉に加算する。
【００３１】
このように、台間カード処理機１０は、設定レートの持玉を増減の対象とする。ここで、一般カードには、設定レート以外のレート（以下、他レートという）の持玉も対応付けられている。他レートの持玉は、設定レートの異なる他の台間カード処理機１０により加算されたものであり、該当する設定レートの台間カード処理機１０に台移動すれば持玉の再プレイが可能である。
【００３２】
図１（ａ）では、一般カードがセットされた状態で、会員カードをさらに挿入している。会員カードには、２円持玉２００玉、４円貯玉０玉、２円貯玉０玉及び１円貯玉０玉が対応付けられている。会員カードには、持玉を１レート分しか対応付けていない。これは、貯玉は他のレートへの乗入再プレイが可能であるため、同一レートでの再プレイしかできない持玉のままとするよりも、貯玉に移行させておいた方が利便性が高くなるからである。
【００３３】
一般カードがセットされた状態で会員カードの挿入を受け付けると、台間カード処理機１０は、一般カードの他レートの持玉と、会員カードの他レートの持玉とを会員カードの貯玉に移行させる。
【００３４】
図１（ａ）に示した例では、会員カードの持玉は２円持玉２００玉であり、他レートであるために会員カードの貯玉に移行される。同様に、一般カードの２円持玉２００玉と１円持玉１００円も会員カードの貯玉に移行される。
【００３５】
そして、台間カード処理機１０には挿入された会員カードがセットされ、一般カードの設定レートの持玉と会員カードの設定レートの持玉とが合算されて会員カードの持玉となる。
【００３６】
その結果、図１（ｂ）に示すように、台間カード処理機１０には、会員カードがセットされ、４円持玉４００玉、４円貯玉０玉、２円貯玉４００玉、１円貯玉１００玉が関連付けられることとなる。
【００３７】
このように、本実施例に係る台間カード処理機１０は、会員カードが挿入された場合に、当該会員カードに対応付けられた持玉と自装置が管理する一般カードの持玉とのうち、設定レート以外の持玉を貯玉に移行させる。貯玉に移行させることで、乗入貯玉再プレイを用いて設定レートでの払出が可能になり、遊技客の利便性を向上することができる。
【００３８】
次に、遊技店のシステム構成について説明する。図２は、遊技店のシステム構成を示す図である。図２に示すように、遊技店には、複数の遊技機２０と、各遊技機２０にそれぞれ対応して設けられた台間カード処理機１０が設置される。台間カード処理機１０は、島コントローラ３０を介して店内のネットワークである通信回線と接続する。通信回線には、島コントローラ３０と、カード管理装置４０と、会員管理装置５０と、賞品管理装置６０と、精算機８０とが接続される。
【００３９】
遊技機２０は、遊技玉を遊技盤面に打ち込んで遊技を行う装置である。この遊技機２０の遊技盤面には、複数の入賞領域（入賞口）が設けられており、当該入賞領域を遊技玉が通過したことに基づいて所定個数の遊技玉を賞玉として付与するようになっている。また、遊技盤面には、所定個数の始動領域（始動口）が設けられており、当該始動領域を遊技玉が通過したことに基づいて所定の抽選を行うこととなっている。当該抽選が大当りとなれば、所定の可動部材等の作動により、前述の入賞領域あるいは他の始動領域への遊技玉の通過確率を向上する等、遊技上有利となる作動が行われる。なお、始動領域と入賞領域を兼ねた領域があってもよい。
【００４０】
上記入賞領域には、当該入賞領域への遊技玉の通過を検出するために入賞センサが設けられており、入賞センサにより入賞領域へ打ち込まれた遊技玉の通過（入賞）を検知するようになっている。また、遊技機２０の制御部は、入賞領域ごとに何個の遊技玉を賞玉として付与するかを記憶する賞玉メモリを有している。
【００４１】
したがって、打ち込んだ遊技玉の特定の入賞領域への通過が入賞センサにより検知されると、遊技機２０は、賞玉メモリの記憶内容と、入賞領域を通過した遊技玉数から付与すべき賞玉数を決定し、決定した賞玉数の払出処理を行うことができる。
【００４２】
台間カード処理機１０は、入金の受け付け、遊技玉の貸し出し、カード管理装置４０との通信を行う。台間カード処理機１０は、遊技客が投入した紙幣を受け付けたならば、入金額を含む入金通知をカード管理装置４０に送信することで、プリペイド価値をカード管理装置４０が管理するプリペイド価値に加算させる。そして、所定の玉貸し操作がなされたならば、玉貸要求をカード管理装置４０に送信し、カード管理装置４０が管理するプリペイド価値を減算させて、減算したプリペイド価値分に対応する数の遊技玉の払出処理を行う。
【００４３】
また、台間カード処理機１０は、カードの挿入を受け付けたならば、カード管理装置４０にカード挿入通知を送信する。また、台間カード処理機１０は、カード管理装置４０からプリペイド価値、持玉又は貯玉の残高を受信した場合には、該残高を記憶する。そして、持玉の残高を受信し、記憶した場合には、カード管理装置４０に対して持玉減算要求を送信することで、カード管理装置４０が管理する持玉の残高をゼロにクリアする。
【００４４】
また、台間カード処理機１０は、持玉再プレイ操作を受け付けると、自装置が管理する持玉数を所定数減算し、減算した持玉数に対応する数の遊技玉の払出処理を行う。また、台間カード処理機１０は、貯玉再プレイ操作を受け付けると、カード管理装置４０に対して貯玉再プレイ要求を送信することで、会員管理装置５０が管理する貯玉数を所定数減算させ、減算させた貯玉数に対応する数の遊技玉の払出処理を行う。
【００４５】
さらに、台間カード処理機１０は、乗入再プレイ操作を受け付けると、他の遊技種の貯玉を所定数減算し、対応する数の遊技玉の払出処理を行う。
【００４６】
また、台間カード処理機１０は、カード返却操作を受け付けたならば、持玉数を含む持玉加算要求をカード管理装置４０に送信し、カード管理装置４０に持玉を加算させた後、カード排出通知をカード管理装置４０に送信し、カードを排出制御する。
【００４７】
島コントローラ３０は、遊技島に設けられた一群の遊技機２０及び台間カード処理機１０を束ねる中継装置である。カード管理装置４０は、カードのプリペイド価値及び持玉数等をカードデータとして管理する管理装置である。
【００４８】
カード管理装置４０は、台間カード処理機１０からカード挿入通知を受信したならば、挿入されたカードのＩＤと台間カード処理機１０とを関連づけて管理し、該カードＩＤに関連づけられたプリペイド価値及び持玉の残高を台間カード処理機１０に送信する。また、カード挿入通知を会員管理装置５０に送信し、会員管理装置５０から受信した貯玉再プレイデータ等を台間カード処理機１０に送信する。
【００４９】
また、カード管理装置４０は、台間カード処理機１０から持玉減算要求を受信した場合には、持玉の残高をゼロにクリアし、台間カード処理機１０から持玉加算要求を受信した場合には、持玉加算要求に示された持玉の数を持玉の残高に加算する。
【００５０】
また、カード管理装置４０は、台間カード処理機１０から玉貸要求を受信した場合には、カードＩＤに関連付けられたプリペイド価値を所定値減算し、玉貸許可を台間カード処理機１０に送信する。そして、貯玉再プレイ要求を受信した場合には、該貯玉再プレイ要求を会員管理装置５０に送信し、会員管理装置５０が貯玉再プレイデータを出力した場合には、貯玉再プレイデータを台間カード処理機１０に送信する。
【００５１】
また、カード管理装置４０は、賞品管理装置６０からカードＩＤを受信したならば、このカードＩＤに関連付けられた持玉数を賞品管理装置６０に対して通知する。さらに、精算機８０からカードＩＤを受信したならば、このカードＩＤや携帯ＩＤｍに関連付けられたプリペイド価値を精算機８０に対して通知する。
【００５２】
会員管理装置５０は、遊技店に会員登録された会員の会員管理データを管理する管理装置である。具体的には、会員に対して発行した会員カードＩＤに関連づけて、貯玉数、ポイント、暗証番号及び氏名等を管理する。
【００５３】
会員管理装置５０は、台間カード処理機１０からカード挿入通知を受信したならば、カード挿入通知に示されたカードＩＤに対応する貯玉の残高と暗証番号とを含む貯玉再プレイデータを台間カード処理機１０に送信する。また、会員管理装置５０は、台間カード処理機１０から貯玉再プレイ要求を受信したならば、貯玉再プレイ要求に示されたカードＩＤに関連づけられた貯玉の残高を所定数減算し、減算後の貯玉の残高を含む貯玉再プレイデータを台間カード処理機１０に送信する。なお、台間カード処理機１０と会員管理装置５０との通信は、カード管理装置４０を介して行なわれる。
【００５４】
また、会員管理装置５０は、賞品管理装置６０から貯玉数の問い合わせを受けたならば、指定されたカードＩＤに対応する貯玉の残高を賞品管理装置６０に通知する。
【００５５】
賞品管理装置６０は、遊技店内の賞品交換カウンタに併設された賞品交換用の端末装置であり獲得玉、貯玉及び持玉の賞品交換処理を行う。この賞品管理装置６０には、カードのカードＩＤを読み取るカードリーダ及び賞品を払い出す賞品払出装置が接続されている。賞品管理装置６０は、一般カードあるいは会員カードからカードＩＤを読み出した場合（若しくは、携帯端末等からカードＩＤに対応する識別情報を読み出した場合）には、カードＩＤをカード管理装置４０に送信して、該カードＩＤの持玉の残高を要求する。また、貯玉を賞品交換する場合は、会員管理装置５０に対して貯玉の残高を要求する。
【００５６】
精算機８０は、プリペイド価値が対応付けられたカードが挿入されると、このカードのカードＩＤをカード管理装置４０に送信し、該カードに関連付けられたプリペイド価値を取得し、取得したプリペイド価値に相当する現金の払出を行なう。
【００５７】
図２に示したシステムで玉貸しを行なう場合の玉貸処理について説明する。遊技客が台間カード処理機１０に対して玉貸し操作を行なうと、台間カード処理機１０は、カード管理装置４０のローカルアドレスを宛先として指定した電文を送信する。この電文は、台間カード処理機１０に挿入されているカードのカードＩＤと、送信元である台間カード処理機１０を特定するアドレス若しくは任意の識別情報と、玉貸要求とを含む。
【００５８】
カード管理装置４０は、玉貸要求を含む電文を受信すると、該電文内のカードＩＤに関連付けられたプリペイド価値を所定値（例えば、１円＝１度数の場合に１００度数）減算してカード管理データを更新し、玉貸許可を送信元の台間カード処理機１０に送信する。玉貸許可を受信した台間カード処理機１０は、減算したプリペイド価値に対応する数（例えば２５）の遊技玉の払出処理を行なう。
【００５９】
次に、図２に示したシステムで持玉の再プレイを行なう場合の持玉再プレイ処理について説明する。台間カード処理機１０は、一般カードあるいは会員カードの挿入を受け付けた場合に、カード管理装置４０のローカルアドレスを宛先として指定した電文を送信する。この電文は、台間カード処理機１０に挿入されているカードのカードＩＤと、送信元である台間カード処理機１０を特定するアドレス若しくは任意の識別情報と、台間カード処理機１０のレートを特定するための情報と、カード挿入通知とを含む。
【００６０】
カード管理装置４０は、台間カード処理機１０からカード挿入通知を受信した場合には、該電文内のカードＩＤに関連付けられた持玉の残高を台間カード処理機１０に通知する。
【００６１】
台間カード処理機１０は、カード管理装置４０から受信した持玉の残高を記憶する。そして、カードＩＤを特定する情報と、持玉減算要求とを含む電文をカード管理装置４０に送信する。カード管理装置４０は、持玉減算要求を受信した場合には、カードＩＤにより特定される持玉の残高をゼロにクリアする。また、台間カード処理機１０は、持玉再プレイ操作を受け付けると、持玉の残高を一定数ずつ減算し、対応する数の遊技玉の払出処理を行なう。
【００６２】
台間カード処理機１０は、カード返却操作を受け付けたならば、カード管理装置４０に対して持玉加算要求を含む電文を送信する。この電文は、排出するカードのカードＩＤと、送信元である台間カード処理機１０を特定するアドレス若しくは任意の識別情報と、各レートの持玉の残高と、持玉加算要求とを含む。
【００６３】
カード管理装置４０は、持玉加算要求を受け付けた場合には、該電文内のカードＩＤに関連付けられた各レートの持玉の残高を受信した値に更新する。
【００６４】
その後、台間カード処理機１０は、カード管理装置４０にカード排出通知を送信し、カードを排出制御する。
【００６５】
次に、図２に示したシステムで貯玉の再プレイを行う場合の貯玉再プレイ処理について説明する。台間カード処理機１０は、会員カードを挿入された場合、若しくは会員カードとして使用可能な携帯端末からカードＩＤに対応する識別情報を読み取った場合に、カード管理装置４０のローカルアドレスを宛先として指定した電文を送信する。この電文は、台間カード処理機１０に挿入されているカードのカードＩＤ（若しくは携帯端末から読み取ったカードＩＤに対応する識別情報。以降、カードＩＤという）と、送信元である台間カード処理機１０を特定するアドレス若しくは任意の識別情報と、カード挿入通知とを含む。
【００６６】
カード管理装置４０は、カード挿入通知の電文を会員管理装置５０に送信する。会員管理装置５０は、カード挿入通知の電文を受信した場合には、該電文内のカードＩＤに関連付けられた暗証番号と、貯玉のうち、該電文により特定されたレートの貯玉の残高とを含む貯玉再プレイデータを台間カード処理機１０に送信する。
【００６７】
台間カード処理機１０は、受信した貯玉再プレイデータを記憶し、貯玉再プレイデータに示された貯玉の残高が貯玉再プレイにおける遊技玉の払出単位数（貯玉再プレイ単位数。例えば１２５玉）以上である場合には貯玉再プレイ操作を受け付け可能とする。
【００６８】
台間カード処理機１０は、貯玉再プレイデータの記憶後、最初に貯玉再プレイ操作を受け付けた場合に、遊技客に対して暗証番号の入力を求め、入力された暗証番号が貯玉再プレイデータに示された暗証番号と一致するかを確認する。
【００６９】
台間カード処理機１０は、暗証番号が一致した場合に、カード管理装置４０のローカルアドレスを宛先として指定した電文を送信する。この電文は、台間カード処理機１０に挿入されているカードのカードＩＤと、送信元である台間カード処理機１０を特定するアドレス若しくは任意の識別情報と、台間カード処理機１０のレートを特定するための情報と、貯玉再プレイ要求とを含む。
【００７０】
カード管理装置４０は、貯玉再プレイ要求の電文を会員管理装置５０に送信する。会員管理装置５０は、貯玉再プレイ要求の電文を受信した場合には、該電文内のカードＩＤに関連付けられた貯玉のうち、該電文により特定されたレートの貯玉の残高を所定値減算し、減算後の残高を含む貯玉再プレイデータを台間カード処理機１０に送信する。
【００７１】
台間カード処理機１０は、貯玉再プレイデータを受信して貯玉の残高を更新し、貯玉再プレイ単位数に対応する数の遊技玉の払出処理を行なう。また、更新後の貯玉の残高が貯玉再プレイ単位数未満となったかを判定する。更新後の貯玉データの残高が貯玉再プレイ単位数以上であれば、再度貯玉再プレイ操作を受け付け可能であり、貯玉再プレイ操作を受け付けた場合には貯玉再プレイ要求を送信する。２回目以降の貯玉再プレイ操作では、暗証番号の確認は不要である。更新後の貯玉データの残高が貯玉再プレイ単位数未満となったならば、貯玉再プレイ操作を受け付け不能とする。なお、ここでは会員管理装置５０が貯玉の残高を減算した後、台間カード処理機１０が遊技玉の払出処理を行なう場合を例示したが、貯玉再プレイ要求に基づいて遊技玉の払出処理を行った後に、貯玉の残高を減算してもよい。貯玉再プレイ要求前の貯玉再プレイデータに、貯玉再プレイに必要な残高が残っているか否かが示されており、貯玉再プレイ要求を受け付けた後に残高不足が判明する事態とはならないためである。
【００７２】
次に、図２に示したシステムで乗入再プレイを行う場合の処理について説明する。台間カード処理機１０は、乗入再プレイ操作を受け付けると、乗入に関する設定に従って、乗入再プレイに使用する口座を決定する。なお、乗入再プレイに使用する口座を乗入元といい、乗入再プレイにより払出処理する遊技種を乗入先という。
【００７３】
乗入元が貯玉口座である場合には、台間カード処理機１０は、貯玉乗入再プレイを行う。貯玉乗入再プレイでは、台間カード処理機１０は、カードＩＤと、台間カード処理機１０の識別情報と、乗入元の貯玉口座のレートを特定するための情報と、貯玉再プレイ要求とを含む電文を送信する。
【００７４】
会員管理装置５０は、電文を受信すると、電文内のカードＩＤに関連付けられた貯玉のうち、乗入元の貯玉口座の残高を所定値減算し、減算後の残高を含む貯玉再プレイデータを台間カード処理機１０に送信する。台間カード処理機１０は、貯玉再プレイデータを受信して貯玉の残高を更新し、乗入元のレートに応じた換算を行った上で遊技玉の払出処理を行う。
【００７５】
次に、閉店処理における持玉からの貯玉への移行について説明する。カード管理装置４０は、閉店処理時にカード管理データの持玉の残高を確認し、持玉の残高が「０」より大きい持玉が存在する場合には、該持玉の残高をカードＩＤ及びレートとともに会員管理装置５０に通知する。会員管理装置５０は、カードＩＤ及びレートにより特定される貯玉の残高に通知された持玉の残高を加算して更新する。その後、カード管理装置４０は、該持玉の残高をゼロにクリアする。
【００７６】
次に、図２に示した台間カード処理機１０の外観構成について説明する。図３は、図２に示した台間カード処理機１０の外観構成を示す図である。なお、図３には、遊技機２０に接続された台間カード処理機１０の外観構成を台間カード処理機１０として示している。また、併設される遊技機は、破線で図示している。また、図３では、紙幣のみを受け付ける台間カード処理機１０を図示したが、硬貨受付用のユニットを設けることもできる。
【００７７】
図３に示すように、台間カード処理機１０は、台間カード処理機１０の装置の状態を所定色のランプの点灯あるいは点滅で表示する状態表示部１１と、遊技玉を貸し出す際の各種紙幣を受け付ける紙幣挿入口１２ａとを有する。また、台間カード処理機１０は、タッチパネルディスプレイ等の表示操作部１３と、カードを受け付けるカード挿入口１４ａと、携帯端末等をかざすためのかざし部１４ｂと、遊技玉を遊技機に投出するノズルユニット１８ａと、遊技機の下皿から落下させた遊技玉を計数する計数ユニット１８ｂとを有する。
【００７８】
次に、図２に示した台間カード処理機１０の内部構成について説明する。図４は、図２に示した台間カード処理機１０の内部構成を示すブロック図である。図４に示すように、台間カード処理機１０は、紙幣搬送部１２と、表示操作部１３と、リーダライタ１４と、かざし部１４ｂと、通信部１５と、記憶部１６と、制御部１７と、ノズルユニット１８ａと、計数ユニット１８ｂとを有する。
【００７９】
紙幣搬送部１２は、紙幣挿入口１２ａから挿入された紙幣の金種及び真偽を判別しつつ図示しない紙幣収納部に搬送する搬送部である。表示操作部１３は、有価価値等の各種情報の表示と、玉貸し操作等の各種操作の受け付けを行なうタッチパネルディスプレイ等の入出力装置である。
【００８０】
リーダライタ１４は、カード挿入口１４ａに挿入されたカードからカードＩＤを読み取る読取部である。なお、カード挿入口１４ａに挿入されたカードは、このリーダライタ１４を経て図示しないカード収納部に収納される。かざし部１４ｂは、携帯端末等がかざされた場合に、近距離無線通信によりカードＩＤ等の各種情報を読み取るインタフェースである。
【００８１】
通信部１５は、遊技機２０及び通信回線との間のデータ通信を行なうためのインタフェース部である。ノズルユニット１８ａは、玉貸し又は再プレイにより遊技玉を払い出す際に、その一部又は全ての払い出しに使用される。計数ユニット１８ｂは、遊技玉を計数するユニットである。
【００８２】
記憶部１６は、ハードディスク装置や不揮発性メモリ等からなる記憶デバイスである。記憶部１６は、自装置状態データ１６ａ、カードデータ１６ｂ、再プレイ設定データ１６ｃ、カード切替設定データ１６ｄ及び自動貯玉設定データ１６ｅを記憶する。
【００８３】
自装置状態データ１６ａは、台間カード処理機１０の状態を示すデータである。この自装置状態データ１６ａには、台間カード処理機ＩＤと、遊技設定とを含む。台間カード処理機ＩＤは、台間カード処理機１０を遊技店内で一意に識別するための識別情報である。遊技設定は、台間カード処理機１０に設定された遊技種等を示すデータである。遊技店内で複数のレートの遊技玉を扱う場合には、４円レートの遊技玉に「玉１」、２円レートの遊技玉に「玉２」、１円レートの遊技玉に「玉３」のように、レート毎に遊技種名を設定して管理している。台間カード処理機１０は、これらの遊技種から遊技に使用するレートを選択して、遊技設定として記憶する。
【００８４】
カードデータ１６ｂは、遊技客が使用中のカードに係るデータである。カードデータ１６ｂには、カードＩＤ、プリペイド価値、持玉、貯玉等を含む。カードＩＤは、リーダライタ１４により読み取られたカードＩＤである。図示しないカード収納部からカード挿入口１４ａにカードが搬送され、該カードが排出される場合には、この搬送途中でリーダライタ１４により読み取られたカードＩＤによってカードデータ１６ｂが更新される。また、カード挿入口１４ａから図示しないカード収納部にカードが搬送される場合にも、この搬送途中でリーダライタ１４により読み取られたカードＩＤによってカードデータ１６ｂが更新される。プリペイド価値は、玉貸しに使用可能なプリペイド価値の残高を示し、持玉及び貯玉は、それぞれの残高を示す。
【００８５】
再プレイ設定データ１６ｃは、貯玉の乗入を許可するか否か、持玉の乗入を許可するか否か、乗入を行なう場合の口座の優先順序など乗入再プレイに関する設定を示すものである。
【００８６】
カード切替設定データ１６ｄは、一般カードがセットされた状態で会員カードを読み取った場合の動作を設定するデータである。自動貯玉設定データ１６ｅは、持玉を自動で貯玉に移行する際の動作を設定するデータである。
【００８７】
制御部１７は、台間カード処理機１０を全体制御する制御部であり、データ管理部１７ａ、計数処理部１７ｂ、乗入再プレイ処理部１７ｃ、カード切替処理部１７ｄ及び自動貯玉処理部１７ｅを有する。
【００８８】
データ管理部１７ａは、カードが挿入された場合に、自装置状態データ１６ａの台間カード処理機ＩＤと、カードデータ１６ｂのカードＩＤとを含むカード挿入通知をカード管理装置４０に送信する。また、データ管理部１７ａは、カード管理装置４０からプリペイド価値、持玉及び貯玉の少なくともいずれかを含むデータを受信した場合に、受信したデータによりカードデータ１６ｂを更新する。データ管理部１７ａは、カードデータ１６ｂに示されたプリペイド価値、持玉及び貯玉の値を適宜表示操作部１３に表示制御する。
【００８９】
また、データ管理部１７ａは、紙幣挿入口１２ａに紙幣が挿入されると、挿入された紙幣の金額、カードＩＤ及び台間カード処理機ＩＤを含む入金通知をカード管理装置４０に送信する。
【００９０】
また、データ管理部１７ａは、遊技客により玉貸し操作が行なわれた場合に、カードＩＤ及び装置ＩＤを含む玉貸要求をカード管理装置４０に送信する。この玉貸要求への応答として玉貸許可を受信したならば、データ管理部１７ａは、所定数の遊技玉を払い出す。
【００９１】
また、データ管理部１７ａは、遊技客により持玉再プレイ操作が行なわれた場合に、カードデータ１６ｂに示された持玉口座の残高を所定数減算し、対応する数の遊技玉を払出処理する。
【００９２】
また、データ管理部１７ａは、カードデータ１６ｂに示された貯玉の残高が貯玉再プレイ単位数以上である場合には、表示操作部１３に貯玉再プレイボタンを表示し、貯玉再プレイ操作を受け付け可能とする。データ管理部１７ａは、遊技客により貯玉再プレイ操作が行なわれた場合に、カードＩＤ及び台間カード処理機ＩＤを含む貯玉再プレイ要求をカード管理装置４０に送信する。この貯玉再プレイ要求への応答として貯玉再プレイデータを受信したならば、カードデータ１６ｂの貯玉の残高を更新し、貯玉再プレイ単位数の遊技玉を払出処理する。なお、初回の貯玉再プレイ操作時には、暗証番号の入力を求め、カードデータ１６ｂに示された暗証番号と一致することを、貯玉再プレイ要求を送信するための条件とする。
【００９３】
また、データ管理部１７ａは、遊技客によりカード返却操作が行なわれた場合に、カードＩＤ、台間カード処理機ＩＤ並びに持玉数を含む持玉加算要求をカード管理装置４０に送信して、自装置持玉口座の残高を０にクリアした後、カード排出通知をカード管理装置４０に送信し、カードを排出する。
【００９４】
計数処理部１７ｂは、計数ユニット１８ｂに遊技玉が投入された場合に、計数ユニット１８ｂに遊技玉の計数を行なわせ、計数結果をカードデータ１６ｂの持玉数に加算する処理を行なう。
【００９５】
乗入再プレイ処理部１７ｃは、乗入再プレイの実行を制御する処理部である。乗入再プレイ処理部１７ｃは、乗入に関する設定である再プレイ設定データ１６ｃを記憶部１６に格納する。
【００９６】
乗入再プレイ処理部１７ｃは、再プレイ設定データ１６ｃにより乗入再プレイが可能であることが示されている場合には、表示操作部１３に乗入再プレイボタンを表示制御する。
【００９７】
乗入再プレイボタンが操作されたならば、乗入再プレイ処理部１７ｃは、再プレイ設定データ１６ｃに従って、乗入元の口座を決定する。乗入再プレイ処理部１７ｃは、貯玉の乗入再プレイを行なう場合には、カードＩＤ及び台間カード処理機ＩＤと乗入元とを含む貯玉再プレイ要求を送信する。この貯玉再プレイ要求への応答として貯玉再プレイデータを受信したならば、カードデータ１６ｂの貯玉の残高を更新し、乗入元のレートに応じた換算を行った上で遊技玉の払出処理を行う。
【００９８】
乗入再プレイ処理部１７ｃは、持玉の乗入再プレイを行なう場合には、乗入元の持玉の残高を一定数ずつ減算し、乗入元のレートに応じた換算を行った上で遊技玉の払出処理を行う。
【００９９】
カード切替処理部１７ｄは、一般カードがセットされた状態で会員カードを読み取った場合の動作を設定し、カード切替設定データ１６ｄとして記憶部１６に格納する。そして、一般カードがセットされた状態で会員カードを読み取ったならば、カード切替設定データ１６ｄに基づいて処理を行なう。
【０１００】
具体的には、カード切替処理部１７ｄは、一般カードや会員カードに他レートの持玉が対応付けられているならば、その持玉について自動貯玉処理部１７ｅによる自動貯玉を行なわせる。
【０１０１】
また、設定レートの持玉については、カード切替設定データ１６ｄに従って、「合算」、「一般カード分を貯玉」又は「会員カード分を貯玉」のいずれかを行なう。「合算」では、一般カードに対応付けられた設定レートの持玉と会員カードに対応付けられた設定レートの持玉を合算し、会員カードの設定レートの持玉とする。「一般カード分を貯玉」では、一般カードに対応付けられた設定レートの持玉を会員カードの設定レートの貯玉とするよう自動貯玉処理部１７ｅによる自動貯玉を行なわせ、会員カードに対応付けられた設定レートの持玉はそのまま会員カードの設定レートの持玉とする。「会員カード分を貯玉」では、会員カードに対応付けられた設定レートの持玉を会員カードの設定レートの貯玉とするよう自動貯玉処理部１７ｅによる自動貯玉を行なわせ、一般カードに対応付けられた設定レートの持玉を会員カードの設定レートの持玉とする。
【０１０２】
また、プリペイド価値については、カード切替設定データ１６ｄに従って、「合算」又は「会員カード排出」のいずれかを行なう。「合算」では、一般カードに対応付けられたプリペイド価値と会員カードに対応付けられたプリペイド価値とを合算し、会員カードのプリペイド価値とする。「会員カード排出」では、持玉の処理のみを行ない、その後、会員カードを排出する。この場合には、処理後の台間カード処理機１０には一般カードがセットされたままであり、排出された会員カードにはプリペイド価値のみが残ることになる。
【０１０３】
さらに、カード切替処理部１７ｄは、一般カードをセットした状態で、乗入時に選択する乗入元遊技種について優先順序の設定を遊技客から受け付けているならば、会員カードを受け付けた後にも優先順序の設定を引き継ぐことができる。
【０１０４】
自動貯玉処理部１７ｅは、持玉を自動で貯玉に移行する際の動作を設定し、自動貯玉設定データ１６ｅとして記憶部１６に格納する。そして、自動貯玉設定データ１６ｅに基づいて処理を行なう。
【０１０５】
具体的には、自動貯玉設定データ１６ｅには、台間カード処理機１０が会員カードを排出する際に自動貯玉を行なうか否か、台間カード処理機１０が会員カードを受け付けた際に自動貯玉を行なうか否か、自動貯玉を行なう場合の玉数が設定されている。
【０１０６】
自動貯玉処理部１７ｅは、自動貯玉設定データ１６ｅに基づいて、会員カード排出や会員カード受付時に、各レートの持玉をそれぞれ同一レートの貯玉に移行させる。加えて、カード切替処理部１７ｄから指示されたレートの持玉を同一レートの貯玉に移行させる。
【０１０７】
そして、自動貯玉処理部１７ｅは、自動貯玉設定データ１６ｅに基づいて、持玉を全て貯玉に移行するか、端数を残すかを決定する。持玉を全て自動貯玉すると、対象のレートの持玉は自動貯玉の後には「０玉」となる。端数を残す場合には、貯玉再プレイで払い出される玉数の整数倍が持玉から貯玉に移行され、自動貯玉の後には端数分が持玉として残る。このように、端数を持玉に残して自動貯玉を行なうことにより、貯玉を再プレイで使い切ることができる。また、持玉として残された端数分は、そのまま遊技により使い切ればよい。
【０１０８】
次に、台間カード処理機１０の記憶部１６が記憶するデータの具体例について説明する。図５は、台間カード処理機１０の記憶部１６が記憶するデータを説明するための説明図である。
【０１０９】
図５（ａ）に示す自装置状態データ１６ａは、台間カード処理機１０のＩＤが「５００６」であり、台間カード処理機１０の遊技種として「玉１（４円）」が設定された状態を示している。
【０１１０】
図５（ｂ）に示すカードデータ１６ｂは、台間カード処理機１０に挿入されたカードのＩＤが「２００２」であることを示している。なお、ここでは、カードＩＤの上１桁がカードの種別を示しており、上１桁が「１」のカードが一般カード、上１桁が「２」のカードが会員カードである。また、カードデータ１６ｂは、プリペイド価値が「９０００」度数である状態を示している。なお、ここではプリペイド価値の度数とは１度数が１円相当である。また、カードデータ１６ｂは、玉１の持玉の残高が「４００」玉、玉２の持玉の残高が「０」玉、玉３の持玉の残高が「０」玉である状態を示している。ここでは、会員カードがセットされた状態であるため、持玉が０よりも大きくなるのは１レート分のみとなっている。
【０１１１】
また、カードデータ１６ｂは、貯玉再プレイ用の暗証番号が「７７７７」であり、乗入が「可」であり、玉１の貯玉が「０」玉、玉２の貯玉が「４００」玉、玉３の貯玉が「１００」玉である状態を示している。乗入は、乗入貯玉再プレイを行なうか否かを遊技客が設定するフラグである。このフラグが「可」であり、再プレイ設定データ１６ｃにおいても乗入が許可されていれば、乗入再プレイが可能となる。一方、このフラグが「否」であれば、再プレイ設定データ１６ｃにおける設定に関わらず、乗入再プレイを行なうことができない。
【０１１２】
また、図示していないが、カード管理装置４０では、カードＩＤに対応付けて、持玉、貯玉、プリペイド残高以外にカードの有効/無効を示す「ロック」フラグのＯＮ/ＯＦＦも記憶しており、カードの盗難が発覚した場合に従業員操作によってＯＮにされる。これらのデータもカードデータ１６ｂに含まれて記憶されている。さらに、この「ロック」フラグは機能（「貯玉使用」等）別にも設定できるようになっており、例えば遊技者の要望により「貯玉使用」の機能だけを「ロック」の対象として、誤操作を防ぐことに用いることもできる。
【０１１３】
図５（ｃ）に示す再プレイ設定データ１６ｃは、貯玉乗入再プレイの可否、貯玉乗入時に選択する乗入元遊技種の優先順序、持玉乗入再プレイの可否、持玉乗入時に選択する乗入元遊技種の優先順序の項目を有する。
【０１１４】
図５（ｃ）では、貯玉乗入再プレイが「可」、その優先順序が「設定レート：玉１（４円），玉２（２円），玉３（１円）」の順序であることを示している。また、持玉乗入再プレイが「否」であるので、その優先順序は設定していない。
【０１１５】
図５（ｄ）に示すカード切替設定データ１６ｄは、一般カードがセットされた状態で会員カードを読み取った場合の動作を設定するデータであり、設定レート持玉、プリペイド価値及び優先順序引継の項目を有する。
【０１１６】
設定レート持玉は、「１．合算、２．一般カード分を貯玉、３．会員カード分を貯玉」のいずれかの値を取る。プリペイド価値は、「１．合算、２．会員カード排出」のいずれかの値をとる。優先順序引継は、「１．あり、２．なし」のいずれかの値をとる。
【０１１７】
自動貯玉設定データ１６ｅは、持玉を自動で貯玉に移行する際の動作を設定するデータであり、会員カード排出時、会員カード受付時及び自動貯玉玉数の項目を有する。会員カード排出時の項目は、「１．持玉維持、２．自動貯玉」のいずれかの値をとる。会員カード受付時の項目は、「１．持玉維持、２．自動貯玉」のいずれかの値をとる。自動貯玉玉数の項目は「１．全数、２．端数残し」のいずれかの値をとる。
【０１１８】
次に、会員カードを受け付けた場合の台間カード処理機１０の動作について説明する。図６は、会員カードを受け付けた場合の台間カード処理機１０の動作の説明図である。
【０１１９】
図６（ａ）は、台間カード処理機１０に一般カードがセットされていない状態で、会員カードの挿入を受け付けた場合の動作を示している。この場合には、会員カードの設定レートの持玉は持玉に加算され、他レート持玉は自動貯玉される。
【０１２０】
図６（ｂ）は、台間カード処理機１０に一般カードがセットされた状態で、会員カードの挿入を受け付けた場合の動作を示している。この場合の動作は、カード切替設定データ１６ｄの設定によって異なる。
【０１２１】
カード切替設定データ１６ｄの設定レート持玉が「１．合算」であれば、図６（ｂ１）に示すように、会員カードの設定レート持玉は持玉に加算され、他レート持玉は自動貯玉される。また、一般カードの設定レート持玉は持玉に加算され、他レート持玉は自動貯玉される。
【０１２２】
カード切替設定データ１６ｄの設定レート持玉が「２．一般カード分を貯玉」であれば、図６（ｂ２）に示すように、会員カードの設定レート持玉は持玉に加算され、他レート持玉は自動貯玉される。一方、一般カードの設定レート持玉は自動貯玉され、他レート持玉も自動貯玉される。
【０１２３】
カード切替設定データ１６ｄの設定レート持玉が「３．会員カード分を貯玉」であれば、図６（ｂ３）に示すように、会員カードの設定レート持玉は自動貯玉され、他レート持玉も自動貯玉される。一方、一般カードの設定レート持玉は持玉に加算され、他レート持玉は自動貯玉される。
【０１２４】
次に、台間カード処理機１０の処理動作について説明する。図７は、一般カードがセットされていない状態で、カードの挿入を受け付けた場合の処理手順を示すフローチャートである。まず、カード挿入口１４ａはカードの挿入を受け付け（ステップＳ１０１）、リーダライタ１４がカードＩＤを読み取る。
【０１２５】
データ管理部１７ａは、挿入されたカードが会員カードであるか否かをカードＩＤから判定する（ステップＳ１０２）。会員カードでない場合、すなわち、一般カードである場合（ステップＳ１０２；Ｎｏ）、データ管理部１７ａは、当該カードの他レート持玉を自装置が管理する同一レートの持玉にそれぞれ加算する（ステップＳ１０８）。
【０１２６】
挿入されたカードが会員カードである場合（ステップＳ１０２；Ｙｅｓ）、自動貯玉処理部１７ｅは、会員カードに他レート持玉が対応付けられているか否かを判定する（ステップＳ１０３）。
【０１２７】
他レート持玉が対応付けられているならば（ステップＳ１０３；Ｙｅｓ）、自動貯玉処理部１７ｅは、会員カードの乗入の設定が「可」であるか否かを判定する（ステップＳ１０４）。その結果、乗入の設定が「可」であるならば、自動貯玉処理部１７ｅは、他レート持玉を自動貯玉する（ステップＳ１０５）。このように、乗入の設定が「可」であることを自動貯玉の条件としているのは、貯玉の乗入ができないと、他レートの持玉を貯玉に移行してもその台間カード処理機１０では払い出せず、遊技客の利便性向上につながらないからである。
【０１２８】
ステップＳ１０５の後、会員カードの他レート持玉がない場合（ステップＳ１０３；Ｎｏ）、乗入の設定が「否」である場合（ステップＳ１０４；Ｎｏ）、若しくはステップＳ１０８の終了後、データ管理部１７ａは、挿入されたカードの設定レート持玉を自装置が管理する設定レートの持玉に加算する（ステップＳ１０６）。そして、データ管理部１７ａは、挿入されたカードのプリペイド価値を自装置が管理するプリペイド価値に加算し（ステップＳ１０７）、処理を終了する。
【０１２９】
図８は、一般カードがセットされた状態で、カードの挿入を受け付けた場合の処理手順を示すフローチャートである。まず、カード挿入口１４ａはカードの挿入を受け付け（ステップＳ２０１）、リーダライタ１４がカードＩＤを読み取る。
【０１３０】
データ管理部１７ａは、挿入されたカードが会員カードであるか否かをカードＩＤから判定する（ステップＳ２０２）。会員カードでない場合、すなわち、一般カードである場合（ステップＳ２０２；Ｎｏ）、データ管理部１７ａは、当該カードの他レート持玉を自装置が管理する同一レートの持玉にそれぞれ加算する（ステップＳ２０８）。そして、データ管理部１７ａは、挿入された一般カードのプリペイド価値を自装置が管理するプリペイド価値に加算し（ステップＳ２０９）、処理を終了する。
【０１３１】
挿入されたカードが会員カードである場合（ステップＳ２０２；Ｙｅｓ）、カード切替処理部１７ｄは、会員カードに他レート持玉が対応付けられているか否かを判定する（ステップＳ２０３）。
【０１３２】
他レート持玉が対応付けられているならば（ステップＳ２０３；Ｙｅｓ）、カード切替処理部１７ｄは、会員カードの乗入の設定が「可」であるか否かを判定する（ステップＳ２０４）。その結果、乗入の設定が「可」であるならば（ステップＳ２０４；Ｙｅｓ）、自動貯玉処理部１７ｅは、他レート持玉を自動貯玉する（ステップＳ２０５）。このように、乗入の設定が「可」であることを自動貯玉の条件としているのは、貯玉の乗入ができないと、他レートの持玉を貯玉に移行してもその台間カード処理機１０では払い出せず、遊技客の利便性向上につながらないからである。
【０１３３】
ステップＳ２０５の後、会員カードの他レート持玉がない場合（ステップＳ２０３；Ｎｏ）、若しくは乗入の設定が「否」である場合（ステップＳ２０４；Ｎｏ）、カード切替処理部１７ｄは、挿入された会員カードの設定レート持玉と、セットされていた一般カードの設定レート持玉とを合算し、自装置が管理する設定レートの持玉とする（ステップＳ２０６）。そして、カード切替処理部１７ｄは、挿入された会員カードのプリペイド価値と、セットされていた一般カードのプリペイド価値とを合算し、自装置が管理するプリペイド価値として（ステップＳ２０７）、処理を終了する。
【０１３４】
なお、図８に示した処理手順の終了後には、挿入された会員カードがセットされた状態となるので、ステップＳ２０６における自装置が管理する設定レート持玉とは会員カードに対応付けられた設定レート持玉となり、ステップＳ２０７における自装置が管理するプリペイド価値とは会員カードに対応付けられたプリペイド価値となる。
【０１３５】
また、図８では、カード切替設定データ１６ｄの設定レート持玉が「１．合算」であり、カード切替設定データ１６ｄのプリペイド価値が「１．合算」である場合を例示した。カード切替設定データ１６ｄの設定レート持玉が異なる設定値である場合には、ステップＳ２０６の動作を変更し、カード切替設定データ１６ｄのプリペイド価値が異なる設定値である場合には、ステップＳ２０７の動作を変更すればよい。
【０１３６】
図９は、一般カードがセットされた状態で、携帯端末の識別情報を受け付けた場合の処理手順を示すフローチャートである。まず、かざし部１４ｂは、携帯端末の接近を検知し、識別情報である携帯ＩＤｍを受け付ける（ステップＳ３０１）。
【０１３７】
データ管理部１７ａは、携帯ＩＤｍを会員管理装置５０に送信し、会員に紐付けられた携帯ＩＤｍであるか否かを判定する（ステップＳ３０２）。会員に紐付けられた携帯ＩＤｍであるならば（ステップＳ３０２；Ｙｅｓ）、自動貯玉処理部１７ｅは、当該会員に他レート持玉が対応付けられているか否かを判定する（ステップＳ３０３）。
【０１３８】
他レート持玉が対応付けられているならば（ステップＳ３０３；Ｙｅｓ）、自動貯玉処理部１７ｅは、会員カードの乗入の設定が「可」であるか否かを判定する（ステップＳ３０４）。その結果、乗入の設定が「可」であるならば、自動貯玉処理部１７ｅは、他レート持玉を自動貯玉する（ステップＳ３０５）。このように、乗入の設定が「可」であることを自動貯玉の条件としているのは、貯玉の乗入ができないと、他レートの持玉を貯玉に移行してもその台間カード処理機１０では払い出せず、遊技客の利便性向上につながらないからである。
【０１３９】
ステップＳ３０５の後、会員カードの他レート持玉がない場合（ステップＳ３０３；Ｎｏ）若しくは乗入の設定が「否」である場合（ステップＳ３０４；Ｎｏ）、データ管理部１７ａは、貯玉再プレイを許可し（ステップＳ３０６）、処理を終了する。
【０１４０】
一方、会員に紐付けられた携帯ＩＤｍでない場合（ステップＳ３０２；Ｎｏ）、乗入再プレイ処理部１７ｃは、遊技客から乗入貯玉再プレイ操作を受け付けたか否かを判定する（ステップＳ３０４）。その結果、乗入貯玉再プレイ操作を受け付けていなければ（ステップＳ３０４；Ｎｏ）、そのまま処理を終了する。
【０１４１】
乗入貯玉再プレイ操作を受け付けたならば（ステップＳ３０４；Ｙｅｓ）、乗入再プレイ処理部１７ｃは、セットされた一般カードの他レート持玉を乗入貯玉再プレイ用に自動貯玉し（ステップＳ３０５）、そのまま乗入貯玉再プレイに使用して（ステップＳ３０６）、処理を終了する。
【０１４２】
ステップＳ３０５では、乗入再プレイ処理部１７ｃは、セットされた一般カードの他レート持玉を非会員の携帯ＩＤｍと紐付けて、会員管理装置５０に一時的に登録することになる。これは、ステップＳ３０６で直ちに引き出され、貯玉の残高が残ることはない。このとき、乗入貯玉再プレイで使用できる他レート持玉の玉数全てを一括して貯玉し、即乗入貯玉再プレイしてもよい。また、通常の乗入貯玉再プレイ１回分に相当する玉数を貯玉して即乗入貯玉再プレイし、以降同一の携帯ＩＤｍについてはステップＳ３０４〜Ｓ３０６の処理を繰り返すことができるようにしてもよい。
【０１４３】
上述してきたように、本実施例に係る台間カード処理機１０は、会員カードが挿入された場合に、当該会員カードに対応付けられた持玉と自装置が管理する一般カードの持玉とのうち、設定レート以外の持玉を貯玉に移行させる。貯玉に移行させることで、乗入貯玉再プレイを用いて設定レートでの払出が可能になり、遊技客の利便性を向上することができる。
【０１４４】
なお、遊技中の持玉は台間カード処理機１０の管理下にあるが、貯玉の管理は遊技中であっても会員管理装置５０が行なっている。そのため、持玉を貯玉に移行させるためには、台間カード処理機１０と会員管理装置５０との間で通信が可能である必要がある。そこで、台間カード処理機１０と会員管理装置５０との通信がオフラインの状態では、貯玉への移行を保留し、オンライン状態となってから貯玉への移行を行なうことが望ましい。
【０１４５】
また、上述の実施例では、遊技媒体数を関連づける媒体であるカードの形態についての詳細な説明を省略したが、かかるカードには、磁気カード、ＩＣカード等が含まれる。また、ここでは説明の便宜上「カード」を例にとって説明したが、かかるカード以外に、チップ、スティック、携帯端末等を用いる場合に本発明を適用することもできる。
【０１４６】
また、本発明は、遊技機に封入された遊技玉を用いる封入式の遊技機に適用してもよい。封入式の遊技機では、遊技玉を遊技盤面に投出可能な数を遊技可能数として管理しており、玉貸しや再プレイ等の際には、遊技玉の現物を払出処理するのではなく、遊技可能数を加算することとなる。また、玉を遊技媒体として使用する場合に限らず、スロットマシン用のメダルを用いる場合にも適用可能である。
【０１４７】
また、図示した各構成は機能概略的なものであり、必ずしも物理的に図示の構成をされていることを要しない。すなわち、各装置の分散・統合の形態は図示のものに限られず、その全部または一部を各種の負荷や使用状況などに応じて、任意の単位で機能的または物理的に分散・統合して構成することができる。
【産業上の利用可能性】
【０１４８】
以上のように、本発明に係る各台装置及び遊技媒体管理方法は、複数の遊技種を用いる場合に遊技客の利便性を向上することに適している。
【符号の説明】
【０１４９】
１０  台間カード処理機
１１  状態表示部
１２ａ  紙幣挿入口
１３  表示操作部
１４  リーダライタ
１４ａ  カード挿入口
１４ｂ  かざし部
１５  通信部
１６  記憶部
１６ａ  自装置状態データ
１６ｂ  カードデータ
１６ｃ  再プレイ設定データ
１６ｄ  カード切替設定データ
１６ｅ  自動貯玉設定データ
１７  制御部
１７ａ  データ管理部
１７ｂ  計数処理部
１７ｃ  乗入再プレイ処理部
１７ｄ  カード切替処理部
１７ｅ  自動貯玉処理部
１８ａ  ノズルユニット
１８ｂ  計数ユニット
２０  遊技機
３０  島コントローラ
４０  カード管理装置
５０  会員管理装置
６０  賞品管理装置
８０  精算機
【図１】
0006422152.tif 000002
【図２】
0006422152.tif 000003
【図３】
0006422152.tif 000004
【図４】
0006422152.tif 000005
【図５】
0006422152.tif 000006
【図６】
0006422152.tif 000007
【図７】
0006422152.tif 000008
【図８】
0006422152.tif 000009
【図９】
0006422152.tif 000010